(57)【要約】【課題】一般に流通している菓子を利用してゲームを楽しむことができるとともに、菓子メーカではなくても参入ができるゲーム付菓子ホルダーを提供すること。【解決手段】タブレット状の菓子ｂを収納した菓子容器Ｂから該菓子ｂを取り込んでスタート位置からゴール位置まで移動させるゲームができるようにしたゲーム付菓子ホルダーＡであって、該ゲーム付菓子ホルダーＡは上記菓子容器Ｂを保持する保持部２と、該菓子ｂを使用してゲームを行なう遊戯盤Ａ２と、ゲームに失敗した菓子を回収する回収部３を備えるとともに、上記菓子容器Ｂの菓子ｂを取り出す取出口１に連通して菓子ｂをスタート位置に取り込む取込口１５と、ゴール位置に到達した菓子を取り出す取出口２１とを備え、上記取込口１５と取出口２１との間に菓子ｂの移動を案内する案内部材Ｃと、上記菓子が上記回収部内に落下する落とし穴１６を設けた。【選択図】図１
2008183115.tif 000002
【特許請求の範囲】
【請求項１】
タブレット状の菓子を収納した菓子容器から該菓子を取り込んでスタート位置からゴール位置まで移動させるゲームができる以下の要件を備えることを特徴とするゲーム付菓子ホルダー。
（イ）上記ゲーム付菓子ホルダーは上記菓子容器を保持する保持部と、該菓子を使用してゲームを行なう遊戯盤と、ゲームに失敗した菓子を回収する回収部を備えること
（ロ）上記ゲーム付菓子ホルダーは上記菓子容器の菓子を取り出す取出口に連通して菓子をスタート位置に取り込む取込口と、ゴール位置に到達した菓子を取り出す取出口とを備えること
（ハ）上記遊戯盤には、上記取込口と取出口との間に菓子の移動を案内する案内部材と、上記菓子が上記回収部内に落下する落とし穴を設けたこと
【請求項２】
前記案内部材は、前記遊戯面上に立設した複数の壁部材で構成し、該壁部材で迷路を形成し、前記ゲームを迷路ゲームにした、請求項１記載のゲーム付菓子ホルダー。
【請求項３】
前記案内部材は、前記菓子が当たると回転する羽根車で構成し、前記ゲームをパチンコゲームにした、請求項１記載のゲーム付菓子ホルダー。
【請求項４】
前記案内部材は、外部から揺動操作可能なシーソー部材で構成し、前記ゲームをバランスシーソーゲームにした、請求項１記載のゲーム付菓子ホルダー。
【発明の詳細な説明】
【技術分野】
【０００１】
本発明は、ゲーム付菓子ホルダー、詳しくはタブレット状の菓子を収容した菓子容器から菓子を取り込み、取り込んだ菓子でゲームができるゲーム付菓子ホルダーに関するものである。
【背景技術】
【０００２】
従来、菓子は食べるもので遊ぶものではないという感覚からか、菓子そのものを使って遊ぶゲームはあまり無かったが、ビスケットなどの菓子の表面に文字や絵を焼き印し、この菓子を箱につめてパズルゲームができるようにしたパズル兼用菓子が提案されている（例えば、特許文献１）。このパズル兼用菓子は四角い箱の中に同じ大きさの四角い菓子を詰め、その中の１つを取り出して残った菓子を移動させてパズルゲームができるようにしたものである。
【特許文献１】特開平８−２３８８６号公報
【発明の開示】
【発明が解決しようとする課題】
【０００３】
本発明が解決しようとする問題点は、上述のパズル兼用菓子は菓子を使って遊ぶことができるが、ゲームをしている間は菓子を食べられない、菓子を特別に作らなければならないなどの問題があり、菓子に関係のない者が参入することは難しい点であった。
【０００４】
本発明は、上記問題点を解決し、一般に流通している菓子を利用してゲームを楽しむことができるとともに、菓子メーカではなくても参入ができるゲーム付菓子ホルダーを提供することを課題とする。
【課題を解決するための手段】
【０００５】
前記課題を解決するために本発明に係るゲーム付菓子ホルダーは、タブレット状の菓子を収納した菓子容器から該菓子を取り込んでスタート位置からゴール位置まで移動させるゲームができる以下の要件を備えることを特徴とする。
（イ）上記ゲーム付菓子ホルダーは上記菓子容器を保持する保持部と、該菓子を使用してゲームを行なう遊戯盤と、ゲームに失敗した菓子を回収する回収部を備えること
（ロ）上記ゲーム付菓子ホルダーは上記菓子容器の菓子を取り出す取出口に連通して菓子をスタート位置に取り込む取込口と、ゴール位置に到達した菓子を取り出す取出口とを備えること
（ハ）上記遊戯盤には、スタート位置からゴール位置までの間に菓子の移動を案内する案内部材と、上記菓子が上記回収部内に落下する落とし穴を設けたこと
なお、前記案内部材は、前記遊戯面上に立設した複数の壁部材で構成し、該壁部材で菓子の移動を規制する迷路を形成し、前記ゲームを迷路ゲームができるようにしてもよい。
【０００６】
また、前記案内部材は、前記菓子が当たると回転する羽根車で構成し、前記ゲームをパチンコゲームができるようにしてもよい。
【０００７】
そして、前記案内部材は、外部から揺動操作可能なシーソー部材で構成し、前記ゲームをバランスシーソーゲームができるようにしてもよい。
【発明の効果】
【０００８】
請求項１の発明によれば、一般に流通している菓子を使用してゲームを楽しむことができるとともに、ゲームが成功すればその菓子を食べることができ、遊びながら食べながらゲームを楽しむことができる。
【０００９】
請求項２の発明によれば、市販されている菓子を使って迷路遊びをすることができるゲーム付菓子ホルダーを提供することができる。
【００１０】
請求項３の発明によれば、市販されている菓子を使ってパチンコゲームをすることができるゲーム付菓子ホルダーを提供することができる。
【００１１】
請求項４の発明によれば、市販されている菓子を使ってバランスシーソーゲームをすることができるゲーム付菓子ホルダーを提供することができる。
【発明を実施するための最良の形態】
【００１２】
図１において符号Ａは、本発明に係るゲーム付菓子ホルダーの一例を示し、このゲーム付菓子ホルダーＡは商品化され市場に流通している菓子ｂを収納した菓子容器Ｂを用いてゲームができるようにしたもので、本発明では菓子ｂとしてカネボウフーズ株式会社の「フリスク」を用いた場合について説明する。
【００１３】
上記菓子ｂはタブレット状に形成され、この菓子（以下、タブレットという）ｂを収納する菓子容器Ｂは上容器Ｂ１とこの上容器Ｂ１に前後にスライド可能に支持された下容器Ｂ２とで構成され、図２（ａ）（ｂ）に示すように、下容器Ｂ２を前方に押出すと図示しないストッパーによって一定量以上移動できないようにして、内部に収納したタブレットｂを取出口１から１つずつ取り出せることができるようになっているものである。
【００１４】
一方、上記菓子容器Ｂを保持するゲーム付菓子ホルダー（以下、菓子ホルダーという）Ａは図３に示すように、下ケースＡ１と遊戯板Ａ２と上カバーＡ３とで構成され、下ケースＡ１には菓子容器Ｂを保持する保持部２と、ゲーム中に遊戯板Ａ２から落下したタブレットｂを回収する回収部３とが設けられ、周壁４の上端には遊戯板Ａ２を嵌め合わせる嵌合凹部５が周設され、両側部には上カバーＡ３の係合凹部２０に係合し、上カバーＡ３を下ケースＡ１に固定するフック６が形成されている。
【００１５】
上記保持部２は、図４の底面側斜視図に示すように、下から菓子容器Ｂを嵌めこむことができるように底面側に開口した凹部で構成され、両側面には嵌め込んだ菓子容器Ｂを固定するフック１０が２個ずつ形成され、手前には切欠き１１が形成され、菓子容器Ｂを収容した状態で菓子容器Ｂの下容器Ｂ２を押し出せるようになっている。
【００１６】
なお、保持部２の前方には収容した上容器Ｂ１が移動できないようにする移動止め１２が突出して形成されるとともに、スライダー７が保持部２内に出没できるように開口部１３が形成されている。
【００１７】
上記スライダー７は、下ケースＡ１の底に前後方向に形成された長孔１４に操作ボタン９の軸９ａを挿通し、この軸９ａをスライダー７の後部に固定し、操作ボタン９を前後動させてスライダー７を前後動させることにより上板７ａが後述する遊戯板Ａ２の取込口１５を塞いだり開放したりすることができるようになっている。また、取込口１５を塞ぐ方向にスライダー７をスライドさせることによりスライダー７の前板７ｂで下容器Ｂ２を押し戻して菓子容器Ｂ内から余分なタブレットｂが遊戯板Ａ２上に出ないようにもしている。
【００１８】
遊戯板Ａ２は、上記下ケースＡ１の上面全面を覆う板部材で構成され、この遊戯板Ａ２の上面には１つの取込口１５と多数の落とし穴１６とが形成されるとともに、取込口１５から取り込んだタブレットｂの移動を案内する案内部材Ｃが形成されている。この案内部材Ｃは遊戯板Ａ２の上面に立設した壁部材１７で形成し、この壁部材１７で取込口１５から取り込んだタブレットｂをスタート位置１８からゴール位置１９まで案内する迷路を構成し、この壁部材１７で形成された迷路をタブレットｂを移動させる際、落とし穴１６を避けながら移動させないとタブレットｂは上記落とし穴１６から下ケースＡ１に落下するようになっている。
【００１９】
なお、上記壁部材１７は後述する上カバーＡ３の裏面に形成し、遊戯盤Ａ２上には落とし穴１６のみを形成するようにしても構わない。このことにより、図示しないが、菓子容器Ｂの表面に表示されている絵柄と同じ絵柄が表示されたシートを遊戯盤Ａ２上に貼りつけて、菓子ホルダーＡ自体が菓子容器Ｂと同じように見えるようにすることもできる。もちろんこのシートには落とし穴１６に対応する部分は開口させておくことは言うまでもない。
【００２０】
上カバーＡ３は、透明な樹脂で上記下ケースＡ１上に嵌め合わせた遊戯板Ａ２の上を覆うように形成された底面が開口した薄い箱状に形成され、上カバーＡ３を通して遊戯板Ａ２や遊戯板Ａ２上を移動させるタブレットｂが見えるようになっている。この上カバーＡ３の両側壁には下ケースＡ１のフック６が係合する係合凹部２０が形成され、上記遊戯板Ａ２のゴール位置１９に対応する側面にはタブレットｂを取り出す取出口２１が形成され、この取出口２１はスライドドア２２のスライド操作で開閉できるようになっている。
【００２１】
上記下ケースＡ１と遊戯板Ａ２と上カバーＡ３とは、下ケースＡ１の上に遊戯板Ａ２を載せ、その上から上カバーＡ３の周壁の下端面を下ケースＡ１の嵌合凹部５に嵌合するようにして上から押し付けると、下ケースＡ１のフック６が上カバーＡ３の係合凹部２０に係合し、上カバーＡ３を遊戯板Ａ２とともに下ケースＡ１上に固定し、図１に示すように菓子ホルダーＡを組み上げることができる。
【００２２】
次に、上記構成の菓子ホルダーＡの使用態様について説明する。
【００２３】
先ず、図５（ａ）に示すように、菓子ホルダーＡを裏返しにして、保持部２に菓子容器Ｂをセットする。このとき、菓子容器Ｂの先端は移動止め１２を乗り越えないようにし、上から押し付けてフック１０で固定する。次に。図５（ｂ）に示すように、菓子容器Ｂの下容器Ｂ２を押出し、取出口１を遊戯板Ａ２の取込口１５に対応させて、菓子ホルダーＡを振って遊戯板Ａ２上にタブレットｂを取り入れる。
【００２４】
タブレットｂを取り込んだら、図５（ｃ）に示すように、操作ボタン９をスライドさせてスライダ７を動かし、前板７ｂで下容器Ｂ２を押し戻し、余分なタブレットｂが菓子容器Ｂから出ないようにするとともに、上板７ａで取込口１５を塞いでタブレットｂが遊戯板Ａ２から戻らないようにする。
【００２５】
タブレットｂを取り込んだら、タブレットｂを壁部材１７で形成された迷路に沿って落とし穴１６に落ちないように菓子ホルダーＡを前後、左右に傾けてタブレットｂを遊戯板Ａ２上をスタート位置１８から滑らせて移動させ、どの落とし穴１６にも落ちないようにゴール位置１９にたどり着くように菓子ホルダーＡを動かす（図６（ａ）参照）。
【００２６】
タブレットｂがゴール位置１９にたどり着いたら、図６（ｂ）に示すように、スライドドア２２をスライドさせて取出口２１を開放し、取出口２１からタブレットｂを取り出せばよい。
【００２７】
落とし穴１６から下ケースＡ１内に落下したタブレットｂは下ケースＡ１の回収部３に収容されるので、フック６を広げて上ケースＡ３を外し、遊戯板Ａ２を持ち上げれば回収部３が開放されるので、落ちたタブレットｂを回収すればよい。
【００２８】
上述したように、菓子ホルダーＡに菓子容器Ｂをセットし、菓子容器Ｂからタブレットｂを取り込み、取り込んだタブレットｂを菓子ホルダーＡを前後左右に傾けて、落とし穴１６に落ちないようにして壁部材１７で形成された迷路をゴール位置１９に向かって移動させればゲームをすることができ、ゴール位置１９に到達したタブレットｂは取出口２１から取り出して食することができるので、一般に流通している菓子を単に食べるだけではなく、ゲームを楽しむことができる菓子ホルダーを提供することができる。
【００２９】
図７は、菓子ホルダーＡの他の例を示し、この菓子ホルダーＡは案内部材Ｃとして羽根車２５、支柱２８を落とし穴１６とともに遊戯板Ａ２上に配置したもので、図７（ａ）に示すように、取込口１５から取り込んだタブレットｂを図示しないスプリングに抗して打ち出しレバー２６を強制的に押し下げ、押し下げを解除すると、図７（ｂ）に示すように、スプリングの弾発力で打ち出し部材２７が一気に撥ね上がってタブレットｂを上方に撥ね上げ、上方から落下してくるタブレットｂを羽根車２５や支柱２８に当てながら落とし穴１６に落とさないようにしてゴール位置１９に到達させるようにして遊ぶことができるパチンコゲームができるようにしたものである。ゴール位置１９に到達したタブレットｂは、上述の菓子ホルダーＡと同様に、スライドドア２２をスライド移動させて取出口から取り出せばよい。
【００３０】
また、図８（ａ）は、菓子ホルダーＡのさらに他の例を示し、この菓子ホルダーＡは案内部材Ｃとしてシーソー部材３０を落とし穴１６とともに遊戯板Ａ２上に配置したもので、このシーソー部材３０は上方に湾曲した上板３１が支軸３２を中心に上下に揺動可能に配置され、このシーソー部材３０はレバー３３を上下にスライドさせると図示しない駆動機構により上下に揺動させることができるようになっており、例えば、レバー３３を上げればシーソー部材は支軸３２を中心に反時計方向に回動し、レバー３３を下げればシーソー部材は支軸３２を中心に時計方向に回動するようにしておけばよい。
【００３１】
上記構成の菓子ホルダーによれば、取込口１５から取り込んだタブレットｂをシーソー部材３０で受け取ったならば、図８（ｂ）に示すように、レバー３３を押し上げてシーソー部材３０の右側を上げてタブレットｂを左側に移動させて端部から落下させ、下位のシーソー部材３０に移動させ、図８（ｂ）に示すように、レバー３３を押し上げてシーソー部材３０の右側を上げてタブレットｂを左側に移動させて端部から落下させ、下位のシーソー部材３０に移動させるようにして順次上位のシーソー部材から下位のシーソー部材に移動させ落とし穴１６落とさないようにレバー３３の上下方向及び移動量を調整しながらゴール位置１９に到達させるようにして遊ぶことができるシーソーゲームができるようにしたものである。ゴール位置１９に到達したタブレットｂは、前述の菓子ホルダーＡと同様に、スライドドア２２をスライド移動させて取出口から取り出せばよい。
【図面の簡単な説明】
【００３２】
【図１】本発明に係るゲーム付菓子ホルダーの構成を説明する斜視図
【図２】（ａ）（ｂ）は菓子容器を説明する平面側斜視図及び底面側斜視図
【図３】上記ゲーム付菓子ホルダーの構成を説明する分解斜視図
【図４】下ケースの構造を説明する底面側斜視図
【図５】（ａ）〜（ｃ）は上記ゲーム付菓子ホルダーに菓子容器をセットする状態を説明する底面側斜視図
【図６】（ａ）（ｂ）は上記ゲーム付菓子ホルダーの使用態様の説明図
【図７】（ａ）（ｂ）は上記ゲーム付菓子ホルダーの他の例の使用態様の説明図
【図８】（ａ）〜（ｃ）は上記ゲーム付菓子ホルダーのさらに他の例の使用態様の説明図
【符号の説明】
【００３３】
１    取出口
２    保持部
３    回収部
１５    取込口
１６    落とし穴
２１    取出口
Ａ    ゲーム付菓子ホルダー
Ｂ    菓子容器
ｂ    菓子（タブレット）
Ｃ    案内部材
【図１】
2008183115.tif 000003
【図２】
2008183115.tif 000004
【図３】
2008183115.tif 000005
【図４】
2008183115.tif 000006
【図５】
2008183115.tif 000007
【図６】
2008183115.tif 000008
【図７】
2008183115.tif 000009
【図８】
2008183115.tif 000010